(57)【要約】【課題】本発明の実施形態は、エレベータの制御基板上に備えられる各種状態表示を行う表示部の表示制御を行うエレベータ制御装置を提供することを目的とする。【解決手段】本発明の実施形態に係るエレベータ制御装置は、エレベータの各種状態を表示する表示部８と、表示部８への表示内容及び表示の有無を制御する表示制御部９と、表示制御部９と接続され、外部のＩＣタグ１２からの出力信号を非接触にて読取る非接触ＩＣリーダ１０と、を備え、表示制御部９は非接触ＩＣリーダ１０がＩＣタグ１２からの出力信号を読取った場合に、表示部８へエレベータの各種状態の表示制御を行うことを特徴とする。【選択図】図２
2013216426.tif 000002
【特許請求の範囲】
【請求項１】
エレベータの各種状態を表示する表示部と、
前記表示部への表示内容及び表示の有無を制御する表示制御部と、
前記表示制御部と接続され、外部のＩＣタグからの出力信号を非接触にて読取る非接触ＩＣリーダと、
を備え、
前記表示制御部は前記非接触ＩＣリーダが前記ＩＣタグからの出力信号を読取った場合に、前記表示部へエレベータの各種状態の表示制御を行うことを特徴とするエレベータ制御装置。
【請求項２】
前記エレベータの保守点検の際に、各種データの入力操作を受け付ける制御基板を備え、前記非接触ＩＣリーダが前記ＩＣタグからの出力信号を読取った場合に、前記制御基板への入力操作を受け付け、前記非接触ＩＣリーダが前記ＩＣタグからの出力信号を読取っていない場合は、前記制御基板への入力操作を受け付けないことを特徴とする請求項１に記載のエレベータ制御装置。
【発明の詳細な説明】
【技術分野】
【０００１】
本発明の実施形態は、エレベータの制御基板上に備えられる各種状態表示を行う表示部の表示制御を行うエレベータ制御装置に関する。
【背景技術】
【０００２】
一般にエレベータ制御装置に備えられる制御基板上には、７セグメントＬＥＤ等を利用してエレベータの階床やエラーコード、制御基板操作状態などを表示するエレベータ状態表示機能を備えている。
【０００３】
エレベータの保守・点検作業において、エレベータの保守作業者は、制御装置内の制御基板を操作できる位置まで乗りかごを移動させた後、乗りかご上面に乗って昇降路内にてエレベータの制御基板の操作を行っている。このとき、作業者は制御基板上に表示されるエレベータの状態に関する表示内容を確認しながら各種データの確認・設定作業を行っている。
【０００４】
この制御基板上の状態表示及び操作は、保守・点検の際に種々のデータ確認・設定が行えることから非常に重要な役割を担っている。つまり、エレベータ制御装置がこの表示・操作機能を有していることにより、作業員がエレベータの状態を確認・設定を行うための保守ツールを保有していなくても、その作業の代用ができる。
【先行技術文献】
【特許文献】
【０００５】
【特許文献１】特開２００７−６２８５２号公報
【発明の概要】
【発明が解決しようとする課題】
【０００６】
しかしながら、上記のようなエレベータ状態表示機能を備えるエレベータ制御装置では、常に状態表示を行っている状態にあり、保守点検の際には誰でもその表示内容を確認しながら、制御基板上にてデータ変更などの保守点検作業を行うことができる。
【０００７】
すなわち、エレベータの保守点検作業に関する正確な操作方法などの専門知識を身につけていない第三者であっても、エレベータ制御に関するデータを変更することができ、エレベータの運行に悪影響を及ぼす可能性もある。
【０００８】
そこで本発明に係る実施形態においては、上記のような課題を解決するため、制御基板上での各種データの確認・設定作業を、専門知識を有する者、つまり正規のエレベータ保守作業員のみが行えるようにし、第三者によるエレベータ状態の確認・設定作業を行うことを防止するエレベータ制御装置の提供を目的とする。
【課題を解決するための手段】
【０００９】
上記目的を達成するために、本発明の実施形態に係るエレベータ制御装置は、エレベータの各種状態を表示する表示部と、前記表示部への表示内容及び表示の有無を制御する表示制御部と、前記表示制御部と接続され、外部のＩＣタグからの出力信号を非接触にて読取る非接触ＩＣリーダと、を備え、前記表示制御部は前記非接触ＩＣリーダが前記ＩＣタグからの出力信号を読取った場合に、前記表示部へエレベータの各種状態の表示制御を行うことを特徴とする。
【図面の簡単な説明】
【００１０】
【図１】本発明の実施形態に係るエレベータの概略を示す構成図である。
【図２】本発明の実施形態に係るエレベータ制御装置の構成を示すブロック図である。
【発明を実施するための形態】
【００１１】
以下、本発明の実施形態について図面を参照して説明する。図１は、本発明の実施形態に係るエレベータの概略を示す構成図である。図２は本発明の実施形態に係るエレベータ制御装置の構成を示すブロック図である。
【００１２】
まず、図１を用いて本実施形態に係るエレベータの全体構成について説明する。図１に示すように、昇降路１内の上部にエレベータの運転を制御するエレベータ制御装置２が設置されている。エレベータ制御装置２は昇降路１壁に沿う薄型の形状であり、昇降路１内を昇降する乗りかご３の昇降を妨げることなく、かつ、水平方向に必要な安全距離を保って設置されている。
【００１３】
また、エレベータ制御装置２は昇降路１内部側で開閉する図示しない前面カバーを有しており、この前面カバーの開閉によって、エレベータ制御装置２の保守点検作業を行うことができる。
【００１４】
本実施形態に係るエレベータ制御装置２の昇降路１内における設置位置は、建物の最上階乗場の高さと同等若しくは作業員の身長高さにあわせた位置に配置されている。ここでいう乗場高さとは、各階床にてエレベータ利用者が乗りかご３に乗り降りする乗場４の高さを示す。各乗場４には乗場ドア５がそれぞれ設置されている。
【００１５】
通常、乗りかご３は乗客をかご内に乗車させて目的階まで昇降するが、エレベータ制御装置２を保守点検等する際には、乗りかご３の上面は保守員の足場として利用される。このときの運転制御方法については詳細を後述する。
【００１６】
エレベータ制御装置２は、一般利用者に対して通常のサービスを行う第１の運転モード（以下、通常運転モードという。）と、エレベータに保守点検時に通常運転モードよりも運転を制御する第２の運転モード（以下、保守点検運転モードという。）を有している。
【００１７】
保守点検運転モードとは、保守員等がエレベータの各機器、装置を点検・修理する際に使用する運転モードであり、保守点検運転モードでは、通常運転モードよりも乗りかご３の走行速度が低速である。
【００１８】
また、昇降路１頂部付近やピット付近にはリミットスイッチが設けられ、乗りかご３と昇降路天井や、乗りかご３と昇降路底部との間に一定のスペースが確保できるように、乗りかご３がリミットスイッチの位置まで移動してきた場合、エレベータ制御装置２は乗りかご３を緊急停止させる制御を行うように設定されている。
【００１９】
乗場４や乗りかご３内には、エレベータの運転モードを通常運転モードと保守点検運転モードとを切り替えるための点検スイッチ６、エレベータ制御装置２を点検作業等する際に安全回路を遮断し、乗りかご３を停止させる安全スイッチ７が設置されている。点検スイッチ６及び安全スイッチ７はエレベータ制御装置２に接続されている。
【００２０】
図２に示すように、エレベータ制御装置２には、７セグメントＬＥＤ等を利用してエレベータの階床やエラーコード、制御基板の状態などのエレベータ運転状態を表示する表示部８を備えている。さらに、その表示部８の表示内容を制御する表示制御部９を備えている。
【００２１】
また、エレベータ制御装置２にはＲＦＩＤ（Radio Frequency Identification）リーダなどの非接触ＩＣリーダ１０が備えられている。この非接触ＩＣリーダ１０は、エレベータの保守点検作業の際に保守員が携行する携帯端末装置１１に備えられるＩＣタグ１２からの出力信号を非接触にて受信することでＩＣタグ１２の情報を読み取る。
【００２２】
次に、保守員がエレベータ制御装置２を保守点検する際のエレベータの運行動作について説明する。
【００２３】
エレベータ制御装置２の点検等を行う場合には、まず保守員は乗りかご３を最上階まで昇降させる。乗りかご３を最上階まで昇降させた後、保守員は最上階乗場に設置された点検スイッチ６をオンする。点検スイッチ６をオンすることにより、エレベータの運転モードが通常運転モードから保守点検運転モードに切り替わる。
【００２４】
運転モードが保守点検運転モードに切り替わったことを確認した後、保守点検運転モードにて保守員は乗りかご３を移動させ、乗りかご３の上面が最上階のフロアレベルに一致するように位置決めを行い、その位置で停止させる。この位置決めは各種センサを用いるなどして行われる。
【００２５】
その後、保守員は安全スイッチ７をカットする。安全スイッチ７がカットされると、安全回路が遮断され、エレベータ制御装置２はエレベータを運行を停止し、乗りかご３の停止位置を維持する。そして、保守員は最上階の乗場ドア５を開放し、乗りかご３の上面に乗り込む。
【００２６】
以上のようにして、保守員は最上階にて乗りかご３上面に乗り込み、昇降路１内に設置されているエレベータ制御装置２の保守点検作業を開始する。このとき、エレベータ制御装置２は、エレベータ制御装置２に備えられる非接触ＩＣリーダ１０が保守員の携行する携帯端末装置１１に備えられるＩＣタグ１２からの出力信号を受信したか否かを判断する。
【００２７】
エレベータ制御装置２は、携帯端末装置１１に備えられるＩＣタグ１２からの出力信号を受信したと判断すると、保守員がエレベータ制御装置２付近にいると判断して、表示制御部９は表示部８に対して、エレベータの階床やエラーコード、制御基板操作状態等のエレベータ情報の表示制御を行う。
【００２８】
一方、エレベータ制御装置２に備えられる非接触ＩＣリーダ１０が、保守員の携行する携帯端末装置１１に備えられるＩＣタグ１２からの出力信号を受信していない場合、表示制御部９は表示部８に対して、当該表示制御を行わない。
【００２９】
以上のように、本実施形態に係るエレベータ制御装置２は、保守点検運転モードの際に、保守員が携行する携帯端末装置１１からの出力信号の有無によって、制御基板上の表示部８にエレベータの階床やエラーコード、制御基板操作状態等、エレベータの各種情報の表示制御を行うか否かを判断する。これにより携帯端末装置１１（またはＩＣタグ１２）を持たない正規の保守員以外の第三者によるエレベータの運行に関わるデータの確認・変更などの保守点検作業を行えないようにすることができる。
【００３０】
また、本実施形態に係るエレベータ制御装置２においては、保守員が携行する携帯端末装置１１に備えられるＩＣタグ１２からの出力信号の有無によって制御基板上に備えられる表示部８への表示機能をＯＮ／ＯＦＦ制御するだけでなく、制御基板上でのデータの確認・変更などの操作の有効／無効についても自動制御することが可能な構成としてもよい。
【００３１】
すなわち、保守点検運転モードの際に、エレベータ制御装置２が携帯端末装置１１に備えられるＩＣタグ１２からの出力信号を検出した場合は、表示制御部９による表示部８への表示制御も有効なものとするとともに、制御基板に対する操作機能についても有効とする。
【００３２】
一方、保守点検運転モードの際に、エレベータ制御装置２が携帯端末装置１１に備えられるＩＣタグ１２からの出力信号を検出していない場合は、表示制御部９による表示部８への表示制御も無効とするとともに、制御基板に対する操作機能についても無効とする。
【００３３】
このような構成とすることにより、表示部８の表示機能が無効となっている状態で第三者による、不適切な操作入力を防止することができ、エレベータの運転に関わる各種データの変更を回避することができる。
【００３４】
また、本実施形態に係るエレベータ制御装置２によれば、正規保守員によってエレベータが保守点検される際に限り、表示部８の表示機能を有効とするため、作業が不要な場合には自動的に表示が無効となっているため、消費電力量を抑える効果を得ることもできる。
【符号の説明】
【００３５】
１…昇降路
２…エレベータ制御装置
３…乗りかご
４…乗場
５…乗場ドア
６…点検スイッチ
７…安全スイッチ
８…表示部
９…表示制御部
１０…非接触ＩＣリーダ
１１…携帯端末装置
１２…ＩＣタグ
【図１】
2013216426.tif 000003
【図２】
2013216426.tif 000004